(57)【要約】【課題】  Ｈ．３２３端末に宛先のＳＩＰ端末のアドレスを取得させることができるネットワーク通信装置を提供すること。【解決手段】  ＩＰ網上のＨ．３２３端末から受信した、宛先の指定を伴うＡＲＱメッセージをＩＮＶＩＴＥメッセージに変換して、その変換したＩＮＶＩＴＥメッセージを前記ＳＩＰサーバに送信し、返答された応答メッセージをＡＣＦまたはＡＲＪメッセージに変換して、その変換したＡＣＦまたはＡＲＪメッセージを、ＡＲＱメッセージ送信元の前記Ｈ．３２３端末に送信するアドレス解決仲介手段を備えたことを特徴とする。【選択図】    図２
2005210273.tif 000002
【特許請求の範囲】
【請求項１】
ＩＰ網に接続されると共に、前記ＩＰ網上のゲートキーパとＲＡＳメッセージのやりとりを行うＲＡＳ機能と、前記ＩＰ網上のＳＩＰサーバとＳＩＰメッセージをやり取りするＳＩＰ機能と、ＩＴＵ−Ｔ勧告Ｔ．３８に準拠したリアルタイムネットワークファクシミリ通信機能とを備えたネットワーク通信装置であって、
前記ＩＰ網上のＨ．３２３端末から受信した、宛先の指定を伴うＡＲＱメッセージをＩＮＶＩＴＥメッセージに変換して、その変換したＩＮＶＩＴＥメッセージを前記ＳＩＰサーバに送信し、返答された応答メッセージをＡＣＦまたはＡＲＪメッセージに変換して、その変換したＡＣＦまたはＡＲＪメッセージを、ＡＲＱメッセージ送信元の前記Ｈ．３２３端末に送信するアドレス解決仲介手段を備えたことを特徴とするネットワーク通信装置。
【請求項２】
前記アドレス解決仲介手段により、前記Ｈ．３２３端末へ前記ＡＣＦメッセージが送信された場合、
以後前記Ｈ．３２３端末から受信するＱ．９３１メッセージをＳＩＰメッセージに変換して宛先のＳＩＰ端末に送信する一方、当該ＳＩＰ端末からの受信するＳＩＰメッセージをＱ．９３１メッセージに変換して前記Ｈ．３２３端末に送信するＱ．９３１／ＳＩＰメッセージ相互変換手段を備えたことを特徴とする請求項１に記載のネットワーク通信装置。
【請求項３】
前記Ｈ．３２３端末との間のＨ．３２３呼接続手順と宛先のＳＩＰ端末との間のＳＩＰ呼接続手順とを相互に変換して前記Ｈ．３２３端末とそのＨ．３２３が指定した宛先のＳＩＰ端末との間でＴ．３８リアルタイムファクシミリ通信を行わせるリアルタイム通信仲介手段を備えたことを特徴とする請求項１または２のいずれかに記載のネットワーク通信装置。
【発明の詳細な説明】
【技術分野】
【０００１】
本発明は、ネットワークファクシミリ装置等のネットワーク通信装置に関し、特に、Ｈ．３２３端末とＳＩＰ端末との相互接続を可能とするネットワーク通信装置に関する。
【背景技術】
【０００２】
ＶｏＩＰネットワークの呼接続方式としてＨ．３２３は代表的なもので、それに対応した端末（Ｈ．３２３端末）が多く存在する。一方で、近年、新たな呼接続方式としてＳＩＰ(Session Initiation Protocol)が普及しつつあり、それに対応した端末（ＳＩＰ端末）も増えてきている。そのため、ＶｏＩＰネットワーク環境において、Ｈ．３２３端末とＳＩＰ端末とが混在した状況となっている。
【０００３】
一方で、Ｈ．３２３端末とＳＩＰ端末とは基本的に相互接続性がなく、同一呼接続方式の端末同士でしか通信することができない。また、Ｈ．３２３端末がアドレス解決するためのゲートキーパとＳＩＰ端末がアドレス解決するためのＳＩＰサーバとは基本的に相互接続性がない。
【０００４】
つまり、Ｈ．３２３端末は、ゲートキーパとやりとりすることで別のＨ．３２３端末のアドレスを取得できる一方、ＳＩＰ端末はＳＩＰサーバとやりとりすることで別のＳＩＰ端末のアドレスを取得できが、Ｈ．３２３端末がＳＩＰサーバとやりとりして宛先のＳＩＰ端末のアドレスを取得することはできない。
【０００５】
また、Ｈ．３２３端末同士が能力交換およびセッション確立を行うためにはＱ．９３１メッセージが使用される一方、ＳＩＰ端末同士が能力交換およびセッション確立を行うためにはＳＩＰメッセージが使用されるが、Ｈ．３２３端末とＳＩＰ端末とがＱ．９３１メッセージまたはＳＩＰメッセージを直接やりとりして能力交換を行うことはできない。
【０００６】
また、Ｈ．３２３端末におけるＨ．３２３呼接続手順とＳＩＰ端末におけるＳＩＰ呼接続手順とではやりされるにメッセージに互換性がないため、Ｈ．３２３端末とＳＩＰ端末とが直接やりとりしてリアルタイムな通信を行うことはできない。
【０００７】
Ｈ．３２３端末とＳＩＰ端末との相互接続に関する従来技術としては、例えば、特許文献１を挙げることができる。
【０００８】
【特許文献１】特開２００１−３５８７７８号公報
【発明の開示】
【発明が解決しようとする課題】
【０００９】
しかし、上記従来技術をもってしても、Ｈ．３２３端末がＳＩＰサーバから宛先のＳＩＰ端末のアドレスを取得することはできず、Ｈ．３２３端末とＳＩＰ端末との能力交換を行うことができず、また、Ｈ．３２３端末とＳＩＰ端末とがリアルタイムな通信を相互に行うことができないという問題点があった。
【００１０】
本発明は係る事情に鑑みてなされたものであり、Ｈ．３２３端末に宛先のＳＩＰ端末のアドレスを取得させることができ、更に、Ｈ．３２３端末とＳＩＰ端末との能力交換を行わせることができ、また、更に、Ｈ．３２３端末とＳＩＰ端末との相互のリアルタイム通信を可能とするネットワーク通信装置を提供することを目的とする。
【課題を解決するための手段】
【００１１】
請求項１に記載のネットワーク通信装置は、ＩＰ網に接続されると共に、前記ＩＰ網上のゲートキーパとＲＡＳメッセージのやりとりを行うＲＡＳ機能と、前記ＩＰ網上のＳＩＰサーバとＳＩＰメッセージをやり取りするＳＩＰ機能と、ＩＴＵ−Ｔ勧告Ｔ．３８に準拠したリアルタイムネットワークファクシミリ通信機能とを備えたネットワーク通信装置であって、前記ＩＰ網上のＨ．３２３端末から受信した、宛先の指定を伴うＡＲＱメッセージをＩＮＶＩＴＥメッセージに変換して、その変換したＩＮＶＩＴＥメッセージを前記ＳＩＰサーバに送信し、返答された応答メッセージをＡＣＦまたはＡＲＪメッセージに変換して、その変換したＡＣＦまたはＡＲＪメッセージを、ＡＲＱメッセージ送信元の前記Ｈ．３２３端末に送信するアドレス解決仲介手段を備えたことを特徴とする。
【００１２】
請求項２に記載のネットワーク通信装置は、請求項１に記載のネットワーク通信装置において、前記アドレス解決仲介手段により、前記Ｈ．３２３端末へ前記ＡＣＦメッセージが送信された場合、以後前記Ｈ．３２３端末から受信するＱ．９３１メッセージをＳＩＰメッセージに変換して宛先のＳＩＰ端末に送信する一方、当該ＳＩＰ端末からの受信するＳＩＰメッセージをＱ．９３１メッセージに変換して前記Ｈ．３２３端末に送信するＱ．９３１／ＳＩＰメッセージ相互変換手段を備えたことを特徴とする。
【００１３】
請求項３に記載のネットワーク通信装置は、請求項１または２のいずれかに記載のネットワーク通信装置において、前記Ｈ．３２３端末との間のＨ．３２３呼接続手順と宛先のＳＩＰ端末との間のＳＩＰ呼接続手順とを相互に変換して前記Ｈ．３２３端末とそのＨ．３２３が指定した宛先のＳＩＰ端末との間でＴ．３８リアルタイムファクシミリ通信を行わせるリアルタイム通信仲介手段を備えたことを特徴とする。
【発明の効果】
【００１４】
請求項１に係る発明によれば、Ｈ．３２３端末からＡＲＱメッセージを受信して、その受信したＡＲＱメッセージを変換して得たＩＮＶＩＴＥメッセージのＳＩＰサーバへの送信を行い、その応答メッセージをＡＣＦ／ＡＲＪメッセージに変換してＡＲＱメッセージの送信元のＨ．３２３端末に送信するため、Ｈ．３２３端末が宛先のＳＩＰ端末のアドレスを取得することが可能となる効果が得られる。
【００１５】
請求項２に係る発明によれば、Ｈ．３２３端末からのＱ．９３１メッセージと、宛先のＳＩＰ端末からのＳＩＰメッセージとを相互変換しているため、Ｈ．３２３端末とＳＩＰ端末との呼接続メッセージの互換性を確保することが可能となる効果が得られる。
【００１６】
請求項３に係る発明によれば、Ｈ．３２３端末とＳＩＰ端末との呼接続を維持してそれぞれへＴ．３８通信を行うための能力交換を行っているので、本来互換性のないＨ．３２３端末とＳＩＰ端末とでＴ．３８通信を行うことが可能となる効果が得られる。
【発明を実施するための最良の形態】
【００１７】
以下、添付図面を参照しながら、本発明を実施するための最良の形態について説明する
【００１８】
図１は、本発明の一実施例に係るネットワーク通信装置１を含むネットワーク構成を示している。
【００１９】
同図において、ネットワーク通信装置１は、Ｈ．３２３とＳＩＰの両呼接続方式に対応した端末であり、ＩＰ網としてのＬＡＮ１００に接続されている。そのＩＰ網としてのＬＡＮ１００には、ＬＡＮ１００上のＨ．３２３端末にアドレス解決サービス等に提供するゲートキーパ４００が配置されている。またＬＡＮ１００には、ＬＡＮ１００上のＳＩＰ端末にアドレス解決サービス等に提供するＳＩＰサーバ５００が配置されている。また、ＬＡＮ１００上には、Ｈ．３２３端末２００やＳＩＰ端末３００が配置されている。なお、図１において、Ｈ．３２３端末２００やＳＩＰ端末３００は、それぞれＬＡＮ１００上の多数のＨ．３２３端末やＳＩＰ端末を代表的に示しているものである。
【００２０】
図２に、ネットワーク通信装置１のブロック構成について示す。
【００２１】
同図において、ＣＰＵ２は、ＲＡＭ４を作業領域として使用しつつ、ＲＯＭ３に書き込まれた制御プログラムに基づいて装置部を制御したり、各種データ処理したり、プロトコル制御を行う中央演算処理装置である。
【００２２】
ＲＯＭ３は、前述したように、ＣＰＵ２が装置各部を制御するための制御プログラムが記憶されているリードオンリメモリである。ＲＡＭ４は、前述したようにＣＰＵ２の作業領域として使用されるランダムアクセスメモリである。
【００２３】
パラメータメモリ５は、装置動作に必要な各種情報が記憶されると共に、装置の電源がオフされた状態でもその記憶内容を保持するメモリであり、具体的には、ＥＥＰＲＯＭ（電気的に書き換え可能な読み出し専用メモリ）や、バッテリバックアップされたＳＲＡＭ（スタティックＲＡＭ）などにより構成されるものである。
【００２４】
操作表示部６は、操作入力を受け入れるための各種キーが配設される一方、液晶表示装置等の表示器を備え、装置の動作状態や、各種メッセージを表示するものである。
【００２５】
データ蓄積装置７は、大容量のデータやアプリケーションソフトウェアのプログラムを記憶するためのもので、ハードディスク装置などにより構成される。
【００２６】
ＬＡＮ伝送制御部８はイーサネットのＬＡＮ１００に接続されている。そして、ＬＡＮ伝送制御部８は、後述するプロトコルスタックにおいてＴＣＰ・ＵＤＰ／ＩＰ以上のプロトコルで作成され渡されたパケットを電気信号に変換してＬＡＮ１００に送信する一方、ＬＡＮ１００から受信した電気信号から元のパケットを取得して上位のＩＰプロトコルに渡すためのものである。
【００２７】
システムバス９は、上記各部がデータをやり取りするためのデータバス・アドレスバス・制御バス、割り込み信号ラインなどにより構成される信号ラインである。
【００２８】
図３に、ネットワーク通信装置１におけるプロトコルスタックについて示す。
【００２９】
同図において、「物理層」及び「データリンク層」は、「イーサネット」で、ＬＡＮ伝送制御部８に相当するものであり、「ネットワーク層」の「ＩＰ」プロトコルから渡された、ＭＡＣヘッダとＭＡＣデータとからなるＭＡＣパケットの先頭にプリアンブル及びスタート・フレーム・デリミタを付加すると共にＭＡＣパケットの末尾にフレームチェックシーケンスＦＣＳを付加して、電気信号としてＬＡＮ１００に送信する一方、ＬＡＮ１００を介して電気信号として受信した自装置のＭＡＣアドレス宛のＭＡＣパケットをデジタルデータとして取得して、「ネットワーク層」の「ＩＰ」プロトコルに渡す。
【００３０】
「ＩＰ」プロトコル以上のプロトコルは、ＣＰＵ２により実行されるプログラムにより担当される部分であり、その「ＩＰ」プロトコル上ではトランスポート層として「ＴＣＰ」または「ＵＤＰ」を用いて、「セッション層」及び「プレゼンテーション層」レベルの各種機能が行われ、それらの各種機能は、「アプリケーション層」の全体制御により統括的に管理される。なお、一般的に、確実性が要求されるデータ伝送には「ＴＣＰ」が用いられ、確実性よりもリアルタイム性が要求されるデータ伝送には「ＵＤＰ」が用いられ、図３のプロトコルスタックにおける、「セッション層」及び「プレゼンテーション層」レベルの各種機能もその一般的原則に沿っているが、例えば「ＲＴＰ」に「ＴＣＰ」を用いることも有り得る。
【００３１】
図３のプロトコルスタックにおいて、ネットワーク通信装置１は、ＳＩＰ方式の呼接続方式に対応したＳＩＰ機能、Ｈ．３２３方式の呼接続方式に対応したＨ．３２３機能（ＲＡＳ機能を含む）、及び、Ｔ．３８通信機能を備えている。
【００３２】
ＳＩＰ（Session Initiation Protocol）機能は、ＳＩＰ方式に基づいて、ＲＦＣ２５４３、ＲＦＣ３２６１に規定されたＳＩＰメッセージによるＳＩＰサーバ５００とのアドレス解決のためのやりとりや、ＳＤＰ（Session Description Protocol）により記述されたセッション情報のやりとりによりセッションの確立（能力交換）を行う。
【００３３】
また、確立されたセッションにおいて、ＲＴＰ（Real Time Transport Protocol）、ＲＴＣＰ（Real Time Transport Control Protocol）によるデータ伝送を行うこともできる。なお、ＲＴＰは、ＩＰネットワーク上で音声や映像などの各種リアルタイムメディアを転送するための規格である。ＲＴＣＰは、ＲＴＰによるデータ転送の制御を行うものであり、具体的には、ＲＴＰパケットのフロー制御や送受信端末間でのクロック同期などのＲＴＰパケットのデータ転送を補助するものである。
【００３４】
Ｈ．３２３機能は、Ｈ．３２３通信における認証、アドレス変換、帯域制御、課金管理などを行なう機能をもつゲートキーパ４００との間で、Ｈ．２２５．０  ＲＡＳ（Registration,Admission,Status）のやりとりによるアドレス解決や、Ｈ．２４５、Ｈ．２２５．０（Ｑ．９３１）による、相手端末とのセッション情報のやりとりによりセッションの確立（能力交換）を行う。
【００３５】
また、確立されたセッションにおいて、Ｈ．２２５．０（ＲＴＰ）、Ｈ．２２５．０（ＲＴＣＰ）によるデータ伝送を行うこともできる。
【００３６】
Ｔ．３８機能は、Ｇ３ファクシミリプロトコルのＴ．３０信号をＩＰパケットによりネットワークを介してやりとりすることにより実現される、ＩＴＵ−Ｔ勧告Ｔ．３８に準拠したリアルタイム型ネットワークファクシミリ通信方式に基づく機能である。
【００３７】
次に、以上の構成のネットワーク通信装置１が、Ｈ．３２３端末２００と、宛先の端末（ＳＩＰ端末３００など）や、ゲートキーパ４００、ＳＩＰサーバ５００との間に介在して行う処理手順について、図４ないし図６を参照して説明する。なお、図４ないし図６の処理手順は、アドレス解決仲介手段、Ｑ．９３１／ＳＩＰメッセージ相互変換手段、及び、リアルタイム通信仲介手段にそれぞれ相当する手順を含む。
【００３８】
先ず、図４において、Ｈ．３２３端末２００からの、通信開始要求を示すＡＲＱメッセージの受信を監視している（処理Ｓ１０１、判断Ｓ１０２のＮｏのループ）。
【００３９】
そして、ＡＲＱを受信すると、つまり、通信の相手先となる宛先の端末（Ｈ．３２３端末またはＳＩＰ端末）のＩＰアドレスを取得して（アドレス解決して）、そのＩＰアドレスの端末との間で能力交換した上でＴ．３８リアルタイムネットワークファクシミリ通信を行おうとするＨ．３２３端末２００がネットワーク通信装置１に対してＡＲＱを送信してくると、判断Ｓ１０２がＹｅｓとなり、ネットワーク通信装置１は、ゲートキーパ４００に対して、その受信したＡＲＱを送信する（処理Ｓ１０３）。その場合ＡＲＱには、自端末のＩＰアドレスと通信相手（宛先）のエイリアス番号またはＦＡＸ番号が含まれているものとする。
【００４０】
そして、処理Ｓ１０３で送信したＡＲＱに対してゲートキーパ４００からＡＣＦメッセージを受信したか否（ＡＲＪメッセージを受信）かを判断する（判断Ｓ１０４）。
【００４１】
ＡＣＦメッセージを受信した場合は（判断Ｓ１０４のＹｅｓ）、Ｈ．３２３端末２００が指定した宛先がＨ．３２３端末で、ゲートキーパ４００への問い合わせによりアドレス解決できたことになるため、ＡＲＱメッセージの送信元のＨ．３２３端末２００に対して、その受信したＡＣＦメッセージを送信する（処理Ｓ１０５）。これにより、宛先端末がＨ．３２３端末である場合のアドレス解決が実現される。
【００４２】
判断１０４において、拒否理由が宛先未登録のＡＲＪメッセージを受信した場合には（判断Ｓ１０４のＮｏ）、Ｈ．３２３端末２００が指定した宛先が、Ｈ．３２３端末ではなく、ゲートキーパ４００への問い合わせではアドレス解決できなかったことになるため、ＳＩＰサーバ５００への問い合わせを行う。
【００４３】
つまり、まず、ＡＲＱメッセージをＩＮＶＩＴＥメッセージに変換する。具体的には、送信元のＨ．３２３端末２００から受信したＡＲＱメッセージに含まれる宛先情報をもとにＩＮＶＩＴＥメッセージを作成（変換）する（処理Ｓ１０６）。そして、その作成したＩＮＶＩＴＥメッセージをＳＩＰサーバ５００へ送信する（処理Ｓ１０７）。ただし、その場合、ＳＩＰサーバ５００からの応答がネットワーク通信装置１に戻るようにするために、ＩＮＶＩＴＥメッセージのＣｏｎｔａｃｔ行に、自装置（ネットワーク通信装置１）を宛先として指定する。
【００４４】
そして、処理Ｓ１０７で送信したＩＮＶＩＴＥメッセージに対するＳＩＰサーバ５００からの応答メッセージを受信し、通信許可を示す「２００  ＯＫ」メッセージを受信した場合には（判断Ｓ１０８のＹｅｓ）、ＡＣＦメッセージを作成して、その作成したＡＣＦメッセージを送信元のＨ．３２３端末２００に送信する（処理Ｓ１０５）。これにより、宛先端末がＳＩＰ端末である場合のアドレス解決が実現される。
【００４５】
判断Ｓ１０８において、「２００  ＯＫ」以外のメッセージを受信した場合には（判断Ｓ１０８のＮｏ）、ＳＩＰサーバ５００への問い合わせによってもアドレス解決できなかったことになるため、受信したメッセージに応じたＡＲＪメッセージを作成して、送信元のＨ．３２３端末２００に送信し（処理Ｓ１１１）、処理を終了する。
【００４６】
このように、ネットワーク通信装置１において、ゲートキーパ４００への問い合わせによりアドレス解決するか（判断１０４がＹｅｓ）、または、ＳＩＰサーバへの問い合わせによりアドレス解決することにより（判断Ｓ１０８のＹｅｓ）、ＡＲＱメッセージの送信元のＨ．３２３端末２００はＳｅｔｕｐメッセージを送信するための宛先ＩＰアドレスを取得することが可能となる。
【００４７】
ネットワーク通信装置１においては、図４の処理により、アドレス解決した後、図５の処理により、Ｈ．３２３端末２００から受信するＱ．９３１メッセージをＳＩＰメッセージへ変換して、Ｈ．３２３２００とＳＩＰ端末３００との間の能力交換を可能とする。
【００４８】
具体的には、図４の処理Ｓ１０５に続く図５の処理Ｓ２０１において、Ｈ．３２３端末２００からのＳｅｔｕｐの受信を確認し（処理Ｓ２０１）、受信しない場合には（判断Ｓ２０２のＮｏ）、コネクションを切断して（処理Ｓ２１８）、処理を終了するが、Ｓｅｔｕｐを受信したした場合には（判断Ｓ２０２のＹｅｓ）、その受信したＳｅｔｕｐメッセージの宛先情報を元にＳＩＰ端末３００へ送信するためのＩＮＶＩＴＥメッセージを作成（変換）する（処理Ｓ２０３）。このとき発信元ＩＰアドレスはＨ．３２３端末２００であり、着信側ＩＰアドレスはＳＩＰ端末３００である。ただし、ＩＮＶＩＴＥメッセージの応答を自装置（ネットワーク通信装置１）が受信するためにＩＮＶＩＴＥメッセージのＣｏｎｔａｃｔ行に自装置のＩＰアドレスをセットする。また、ＳＤＰ（Session Description Protocol）にはＳｅｔｕｐメッセージのOpenLogicalChannelに含まれるＴ．３８能力をセットする。
【００４９】
そして、処理Ｓ２０３で変換したＩＮＶＩＴＥメッセージをＳＩＰ端末３００に送信し（処理Ｓ２０４）、そのＩＮＶＩＴＥメッセージに対する応答メッセージの受信を待つ（処理Ｓ２０５、判断Ｓ２０６のＮｏのループ）。そして、応答メッセージを受信した場合、その都度、その受信した応答メッセージが、「１００  Trying」、「１８０  Ringing」、「２００  ＯＫ」、または、その他の「中断系」のメッセージのいずれであるかを判断する（判断Ｓ２０７のＮｏ、判断２１０のＮｏ、判断Ｓ２１３のＮｏ、判断Ｓ２１６のＮｏのループ）。
【００５０】
そして、「１００  Trying」である場合には（判断Ｓ２０７のＹｅｓ）、対応するＱ．９３１メッセージである「CallProc」メッセージを作成して（処理Ｓ２０８）、「Setup」メッセージの送信元のＨ．３２３端末２００に送信して（処理Ｓ２０９）、処理Ｓ２０５に戻る。
【００５１】
「１８０  Ringing」である場合には（判断Ｓ２１０のＹｅｓ）、対応するＱ．９３１メッセージである「Alert」メッセージを作成して（処理Ｓ２１１）、「Setup」メッセージの送信元のＨ．３２３端末２００に送信して（処理Ｓ２１２）、処理Ｓ２０５に戻る。
【００５２】
「中断系」メッセージである場合には（判断Ｓ２１６のＹｅｓ）、宛先のＳＩＰ端末３００とは現在通信できる状態にないため、Ｈ．３２３端末２００及びＳＩＰ端末３００とのコネクションを切断して（処理Ｓ２１７）、処理を終了する。
【００５３】
「２００  ＯＫ」である場合には（判断Ｓ２１３のＹｅｓ）、宛先のＳＩＰ端末３００が、処理Ｓ２０４で送信した「INVITE」メッセージに対して、通信可能であることを示すため、対応するＱ．９３１メッセージである「Connect」メッセージを作成して（処理Ｓ２１４）、「Setup」メッセージの送信元のＨ．３２３端末２００に送信して（処理Ｓ２１５）、図６の処理Ｓ３０１に移行する。なお、その場合、処理Ｓ２１４で作成し処理Ｓ２１５で送信する「Connect」メッセージのOpenLogicalChannelには、受信した「２００  ＯＫ」メッセージにセットされているＳＤＰからＴ．３８能力を抽出し、セットする。
【００５４】
図６の処理Ｓ３０１では、宛先のＳＩＰ端末３００に対して「ACK」メッセージを送信する（処理Ｓ３０１）。そのようなネットワーク通信装置１の仲介により、Ｈ．３２３端末２００とＳＩＰ端末３００との間で、Ｔ．３８リアルタイムネットワークファクシミリ通信のチャネルが確立され、Ｔ．３８通信が行われる（処理Ｓ３０２、判断Ｓ３０３のＮｏのループ）。
【００５５】
そして、Ｈ．３２３端末２００とＳＩＰ端末３００との間のＴ．３８通信が完了して判断３０３がＹｅｓとなると、ネットワーク通信装置１は、ＳＩＰ端末３００に対してセッション終了を示す「BYE」メッセージを送信する一方（処理Ｓ３０４）、Ｈ．３２３端末に対して「RelComp」メッセージを送信して（処理Ｓ３０５）、呼接続を完了する。
【００５６】
このように、本実施例によれば、Ｈ．３２３端末２００に宛先のＳＩＰ端末３００のアドレスを取得させることができ。また、Ｈ．３２３端末２００とＳＩＰ端末３００との能力交換を行わせセッションを確立させることができる。また、その確立されたセッションにおいて、Ｈ．３２３端末２００とＳＩＰ端末３００との相互のＴ．３８リアルタイムネットワークファクシミリ通信が可能となる。なお、Ｈ．３２３端末２００とＳＩＰ端末３００とが行うリアルタイム通信はＴ．３８に限られるものではない。
【００５７】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００５８】
【図１】本発明の一実施例に係るネットワーク通信装置を含むネットワーク構成について示す図である。
【図２】本発明の一実施例に係るネットワーク通信装置のブロック構成について示す図である。
【図３】本発明の一実施例に係るネットワーク通信装置におけるプロトコルスタックについて示す図である。
【図４】本発明の一実施例に係るネットワーク通信装置における処理手順について示すフローチャートである。
【図５】図４と共に、本発明の一実施例に係るネットワーク通信装置における処理手順について示すフローチャートである。
【図６】図４及び図５と共に、本発明の一実施例に係るネットワーク通信装置における処理手順について示すフローチャートである。
【符号の説明】
【００５９】
１  ネットワーク通信装置（Ｈ．３２３／ＳＩＰ端末）
２  ＣＰＵ
３  ＲＯＭ
４  ＲＡＭ
５  パラメータメモリ
６  操作表示部
７  データ蓄積装置
８  ＬＡＮ伝送制御部
９  システムバス
１００  ＬＡＮ
２００  Ｈ．３２３端末
３００  ＳＩＰ端末
４００  ゲートキーパ（Ｈ．３２３）
５００  ＳＩＰサーバ
【図１】
2005210273.tif 000003
【図２】
2005210273.tif 000004
【図３】
2005210273.tif 000005
【図４】
2005210273.tif 000006
【図５】
2005210273.tif 000007
【図６】
2005210273.tif 000008